(57)【要約】【課題】携帯無線端末における入力情報の取込みを速くし、かつ操作性を快適にする。【解決手段】ＣＰＵ３Ｂは、信号変換部用キー入力装置３Ａによる選択に基づき、信号変換部３９，３９Ａと組合わされて情報読取り手段又は移動距離計測手段として用いられる。情報読取り手段としてのＣＰＵ３Ｂは、受光部３９ｂから出力された電気信号に基づいて被照射物の表面に存在する情報を読み取り、特に、同被照射物の表面に文字が記載されている場合、同電気信号に基づいて同被照射物の表面に記載された文字を読み取る。移動距離計測手段としてのＣＰＵ３Ｂは、受光部３９ｂから出力された電気信号に基づいて被照射物に対する携帯無線端末３０の位置の移動距離を計測し、同受光部３９ｂから出力された現時点の電気信号と一周期前の電気信号との差分に基づいて同移動距離を計測する。【選択図】　　　　図１
2004080220.tif 000002
【特許請求の範囲】
【請求項１】
指定されたサイトとの間で通信回線を介して無線通信を行う無線通信部と、表示部と、表示領域内のポインタの指示に対応した画面を前記表示部に表示させる表示制御部とを備えてなる携帯無線端末であって、
所定の波長の光波を被照射物の表面に照射し、その反射波の強度を電気信号に変換する信号変換部と、
前記被照射物の表面に前記サイトを指定するための情報が記載されている場合、前記電気信号に基づいて前記被照射物の表面に記載されている前記情報を読み取る情報読取り手段と、
前記被照射物に対する自端末の位置を表す情報が該被照射物の表面にあり、かつ前記被照射物に対して自端末の位置が移動したとき、前記電気信号に基づいて前記被照射物に対する自端末の位置の移動距離を計測する移動距離計測手段と、
前記情報読取り手段又は前記移動距離計測手段のいずれか一方を選択して用いる選択手段とが設けられ、
前記無線通信部は、
前記情報読取り手段で読み取られた前記情報に前記サイトを指定するための情報が含まれる場合、該情報に対応する前記サイトにアクセスして無線通信を行う構成とされ、かつ、
前記表示制御部は、
前記移動距離計測手段で計測された前記移動距離に基づいて前記表示領域内の前記ポインタを移動し、前記移動距離に応じた表示を行う構成とされていることを特徴とする携帯無線端末。
【請求項２】
前記信号変換部は、
前記光波を前記被照射物に照射する発射部と、
前記反射波を受波して前記電気信号に変換する受波部とから構成されていることを特徴とする請求項１記載の携帯無線端末。
【請求項３】
前記情報読取り手段は、
前記被照射物の表面に文字が記載されている場合、前記電気信号に基づいて前記被照射物の表面に記載された文字を読み取る構成とされていることを特徴とする請求項１又は２記載の携帯無線端末。
【請求項４】
前記信号変換部の前記発射部は、
前記光波を周期的に前記被照射物の表面に照射する構成とされ、かつ、
前記移動距離計測手段は、
現時点の前記電気信号と一周期前の前記電気信号との差分に基づいて前記移動距離を計測する構成とされていることを特徴とする請求項１又は２記載の携帯無線端末。
【請求項５】
前記信号変換部及び選択手段は、
自端末の筐体が折り畳み型の場合、該筐体の縮退／伸展状態に関わらず、該筐体の外面に配置されていることを特徴とする請求項１乃至４記載の携帯無線端末。
【請求項６】
指定されたサイトとの間で通信回線を介して無線通信を行う無線通信部と、表示部と、表示領域内のポインタの指示に対応した画面を前記表示部に表示させる表示制御部とを備えてなる携帯無線端末に用いられ、前記無線通信部から前記指定されたサイトへアクセスする無線通信方法、及び前記表示部に表示される画面を制御する画面制御方法であって、
光波を被照射物の表面に照射し、その反射波を電気信号に変換する変換処理と、
前記被照射物の表面に前記サイトを指定するための情報が記載されている場合、前記電気信号に基づいて前記被照射物の表面に記載されている前記情報を読み取る情報読取り処理、又は、前記被照射物に対する自端末の位置を表す情報が該被照射物の表面にあり、かつ前記被照射物に対して自端末の位置が移動したとき、前記電気信号に基づいて前記被照射物に対する自端末の位置の移動距離を計測する移動距離計測処理の一方を選択する選択処理と、
前記選択処理で前記情報読取り処理が選択されたとき、前記無線通信部が、前記情報読取り処理で読み取られた前記情報に前記サイトを指定するための情報が含まれる場合、該情報に対応する前記サイトにアクセスして無線通信を行う無線通信処理と、
前記選択処理で前記移動距離計測処理が選択されたとき、前記表示制御部が、前記移動距離計測処理で計測された前記移動距離に基づいて前記表示領域内の前記ポインタを移動し、前記移動距離に応じた表示を行う表示制御処理とを行うことを特徴とする無線通信方法及び画面制御方法。
【請求項７】
前記変換処理では、
前記光波を前記被照射物に照射する照射処理と、
前記反射波を受波して前記電気信号に変換する電気信号変換処理とを行うことを特徴とする請求項６記載の無線通信方法及び画面制御方法。
【請求項８】
前記情報読取り処理では、
前記電気信号に基づいて前記被照射物の表面に記載された文字を読み取ることを特徴とする請求項６又は７記載の無線通信方法及び画面制御方法。
【請求項９】
前記変換処理では、
前記光波を周期的に前記被照射物の表面に照射してその反射波を電気信号に変換し、
前記移動距離計測処理では、
現時点の前記電気信号と一周期前の前記電気信号との差分に基づいて前記移動距離を計測することを特徴とする請求項６又は７記載の無線通信方法及び画面制御方法。
【発明の詳細な説明】
【０００１】
【発明の属する技術分野】
この発明は、携帯無線端末、該携帯無線端末に用いられる無線通信方法及び画面制御方法に係り、たとえばインターネットのＵＲＬ（Ｕｎｉｆｏｒｍ　Ｒｅｓｏｕｒｃｅ　Ｌｏｃａｔｏｒ）などのような多数の文字からなる情報を頻繁に入力する場合や、表示画面中のポインタを頻繁に移動する場合に用いて好適な携帯無線端末、該携帯無線端末に用いられる無線通信方法及び画面制御方法に関する。
【０００２】
【従来の技術】
携帯電話機などの携帯無線端末では、ユーザインタフェース（操作面）に配置されたキースイッチが操作される。たとえば、表示画面上のアイコンや選択肢は、キー操作によって移動するポインタ（カーソルなど）で選択される。この場合、アイコンや選択肢が大量にあると、同アイコンや選択肢の数に応じてユーザがキー操作を多数回行う。また、アナログ的な要素を含む処理（たとえば、描画用ソフトを用いて表示画面上に描画する）を行う場合も、ユーザがキー操作を多数回行う。また、たとえば、インターネットのＵＲＬ、書籍のような文字の羅列、及びＥメールアドレスなどの情報を入力する場合も、これらの情報の字数に応じてユーザがキー操作を行う。
【０００３】
この種の携帯無線端末は、従来では例えば図１９に示すものがあった。
この携帯無線端末１０は、同図に示すように、接続用インタフェース１１と、記憶装置１２と、キー入力装置１３と、無線通信部１４と、音源１５と、スピーカ１６と、ドライバ１７と、ディスプレイ１８と、ＣＰＵ（中央処理装置）１９とから構成され、同ＣＰＵ１９には外部記憶装置２０が接続されている。接続用インタフェース１１は、たとえばＲＳ−２３２Ｃ規格に基づいて構成され、パソコンなどの電子機器に接続されて各種データをやりとりする。記憶装置１２は、携帯無線端末１０を制御するための制御プログラムなどが記憶されている。
【０００４】
キー入力装置１３は、複数のキースイッチで構成され、ユーザが必要に応じて所定の操作を行うためのものである。無線通信部１４は、指定されたサイトとの間で通信回線（図示しない無線基地局、在圏移動通信交換局及び関門移動通信交換局）を介して無線通信を行う。音源１５は、着メロなどの信号を発生する。スピーカ１６は、音源１５の信号に基づいて音声を発生する。ドライバ１７は、ディスプレイ１８に画像信号を供給する。ディスプレイ１８は、たとえば液晶表示装置などで構成され、ドライバ１７から供給された画像信号に基づく画面を表示する。ＣＰＵ１９は、携帯無線端末１０全体を制御する。外部記憶装置２０は、たとえばフレキシブルディスクなどで構成され、記憶装置１２に記憶できない情報を一時的に記憶する。
【０００５】
この携帯無線端末１０では、キー入力装置１３のキースイッチが必要に応じて操作される。たとえば、ディスプレイ１８の表示画面上のアイコンや選択肢がキー操作によって移動するポインタで選択される。また、たとえば描画用ソフトを用いて表示画面上に描画する場合、ユーザが描画に必要なキー操作を行う。また、たとえば、インターネットのＵＲＬ、書籍のような文字の羅列、及びＥメールアドレスなどの情報を入力する場合も、これらの情報を入力するためにユーザがキー操作を行う。
【０００６】
【発明が解決しようとする課題】
しかしながら、上記従来の携帯無線端末では、次のような問題点があった。
すなわち、ディスプレイ１８の表示画面上のアイコンや選択肢がキー操作によって移動するポインタで選択される場合、これらのアイコンや選択肢が大量にあると、画面をスクロールするために、同アイコンや選択肢の数に応じてユーザがキー操作を多数回行う必要がある。また、描画用ソフトを用いる場合も、ユーザがキー操作を多数回行う必要がある。また、インターネットのＵＲＬ、書籍のような文字の羅列、及びＥメールアドレスなどの情報を入力する場合も、これらの情報を入力するためにユーザがキー操作を多数回行う必要がある。これらのキー操作は、多数回であることに加え、キー入力装置１３の各キースイッチが狭い操作面上に配置されているため、ユーザにとって煩雑に感じられることがあるという問題点がある。
【０００７】
この発明は、上述の事情に鑑みてなされたもので、多数の文字からなる情報の入力や表示画面のスクロールを少ない操作で短時間に行うことができる携帯無線端末、該携帯無線端末に用いられる無線通信方法及び画面制御方法を提供することを目的としている。
【０００８】
【課題を解決するための手段】
上記課題を解決するために、請求項１記載の発明は、指定されたサイトとの間で通信回線を介して無線通信を行う無線通信部と、表示部と、表示領域内のポインタの指示に対応した画面を前記表示部に表示させる表示制御部とを備えてなる携帯無線端末に係り、所定の波長の光波を被照射物の表面に照射し、その反射波の強度を電気信号に変換する信号変換部と、前記被照射物の表面に前記サイトを指定するための情報が記載されている場合、前記電気信号に基づいて前記被照射物の表面に記載されている前記情報を読み取る情報読取り手段と、前記被照射物に対する自端末の位置を表す情報が該被照射物の表面にあり、かつ前記被照射物に対して自端末の位置が移動したとき、前記電気信号に基づいて前記被照射物に対する自端末の位置の移動距離を計測する移動距離計測手段と、前記情報読取り手段又は前記移動距離計測手段のいずれか一方を選択して用いる選択手段とが設けられ、前記無線通信部は、前記情報読取り手段で読み取られた前記情報に前記サイトを指定するための情報が含まれる場合、該情報に対応する前記サイトにアクセスして無線通信を行う構成とされ、かつ、前記表示制御部は、前記移動距離計測手段で計測された前記移動距離に基づいて前記表示領域内の前記ポインタを移動し、前記移動距離に応じた表示を行う構成とされていることを特徴としている。
【０００９】
請求項２記載の発明は、請求項１記載の携帯無線端末に係り、前記信号変換部は、前記光波を前記被照射物に照射する発射部と、前記反射波を受波して前記電気信号に変換する受波部とから構成されていることを特徴としている。
【００１０】
請求項３記載の発明は、請求項１又は２記載の携帯無線端末に係り、前記情報読取り手段は、前記被照射物の表面に文字が記載されている場合、前記電気信号に基づいて前記被照射物の表面に記載された文字を読み取る構成とされていることを特徴としている。
【００１１】
請求項４記載の発明は、請求項１又は２記載の携帯無線端末に係り、前記信号変換部の前記発射部は、前記光波を周期的に前記被照射物の表面に照射する構成とされ、かつ、前記移動距離計測手段は、現時点の前記電気信号と一周期前の前記電気信号との差分に基づいて前記移動距離を計測する構成とされていることを特徴としている。
【００１２】
請求項５記載の発明は、請求項１乃至４記載の携帯無線端末に係り、前記信号変換部及び選択手段は、自端末の筐体が折り畳み型の場合、該筐体の縮退／伸展状態に関わらず、該筐体の外面に配置されていることを特徴としている。
【００１３】
請求項６記載の発明は、指定されたサイトとの間で通信回線を介して無線通信を行う無線通信部と、表示部と、表示領域内のポインタの指示に対応した画面を前記表示部に表示させる表示制御部とを備えてなる携帯無線端末に用いられ、前記無線通信部から前記指定されたサイトへアクセスする無線通信方法、及び前記表示部に表示される画面を制御する画面制御方法に係り、光波を被照射物の表面に照射し、その反射波を電気信号に変換する変換処理と、前記被照射物の表面に前記サイトを指定するための情報が記載されている場合、前記電気信号に基づいて前記被照射物の表面に記載されている前記情報を読み取る情報読取り処理、又は、前記被照射物に対する自端末の位置を表す情報が該被照射物の表面にあり、かつ前記被照射物に対して自端末の位置が移動したとき、前記電気信号に基づいて前記被照射物に対する自端末の位置の移動距離を計測する移動距離計測処理の一方を選択する選択処理と、前記選択処理で前記情報読取り処理が選択されたとき、前記無線通信部が、前記情報読取り処理で読み取られた前記情報に前記サイトを指定するための情報が含まれる場合、該情報に対応する前記サイトにアクセスして無線通信を行う無線通信処理と、前記選択処理で前記移動距離計測処理が選択されたとき、前記表示制御部が、前記移動距離計測処理で計測された前記移動距離に基づいて前記表示領域内の前記ポインタを移動し、前記移動距離に応じた表示を行う表示制御処理とを行うことを特徴としている。
【００１４】
請求項７記載の発明は、請求項６記載の無線通信方法及び画面制御方法に係り、前記変換処理では、前記光波を前記被照射物に照射する照射処理と、前記反射波を受波して前記電気信号に変換する電気信号変換処理とを行うことを特徴としている。
【００１５】
請求項８記載の発明は、請求項６又は７記載の無線通信方法及び画面制御方法に係り、前記情報読取り処理では、前記電気信号に基づいて前記被照射物の表面に記載された文字を読み取ることを特徴としている。
【００１６】
請求項９記載の発明は、請求項６又は７記載の無線通信方法及び画面制御方法に係り、前記変換処理では、前記光波を周期的に前記被照射物の表面に照射してその反射波を電気信号に変換し、前記移動距離計測処理では、現時点の前記電気信号と一周期前の前記電気信号との差分に基づいて前記移動距離を計測することを特徴としている。
【００１７】
【発明の実施の形態】
以下、図面を参照して、この発明の実施の形態について説明する。
図１は、この発明の実施形態である携帯無線端末の電気的構成を示すブロック図である。
この形態の携帯無線端末３０は、同図に示すように、接続用インタフェース３１と、記憶装置３２と、キー入力装置３３と、無線通信部３４と、音源３５と、スピーカ３６と、ドライバ３７と、ディスプレイ３８，３８Ａと、信号変換部３９，３９Ａと、信号変換部用キー入力装置３Ａと、ＣＰＵ３Ｂとから構成され、同ＣＰＵ３Ｂには外部記憶装置４０が接続されている。接続用インタフェース３は、たとえばＲＳ−２３２Ｃ規格に基づいて構成され、パソコンなどの電子機器に接続されて各種データをやりとりする。記憶装置３２は、携帯無線端末３０を制御するための制御プログラムなどが記憶されている。
【００１８】
キー入力装置３３は、複数のキースイッチで構成され、ユーザが必要に応じて所定の操作を行うためのものである。無線通信部３４は、指定されたサイトとの間で通信回線（図示しない無線基地局、在圏移動通信交換局及び関門移動通信交換局）を介して無線通信を行い、特に、この実施形態では、ＣＰＵ３Ｂから同サイトを指定するための情報が与えられた場合、同情報に対応するサイトにアクセスして無線通信を行う。音源３５は、着メロなどの信号を発生する。スピーカ３６は、音源３５の信号に基づいて音声を発生する。ドライバ３７は、ディスプレイ３８に画像信号を供給する。ディスプレイ３８，３８Ａは、たとえば液晶表示装置などで構成され、ドライバ３７から供給された画像信号に基づく画面を表示し、特に、この実施形態では、ＣＰＵ３Ｂから表示領域内のポインタの移動距離が与えられた場合、同移動距離に基づいて同表示領域内の同ポインタを移動し、同移動距離に応じた表示を行う。
【００１９】
信号変換部３９，３９Ａは、発光部３９ａ，３９ｃと、受光部３９ｂ，３９ｄとから構成されている。発光部３９ａ，３９ｃは、たとえばＬＥＤなどで構成され、光波（特定波長の電磁波）を被照射物（たとえば、マウスパッドなど）に照射し、特に、この実施形態では、ＣＰＵ３Ｂの制御に基づいて光を周期的に被照射物の表面に照射する。受光部３９ｂ，３９ｄは、たとえばイメージセンサなどで構成され、被照射物から反射された反射波を受波して電気信号に変換する。信号変換部用キー入力装置３Ａは、信号変換部３９，３９Ａ及びＣＰＵ３Ｂを情報読取り手段として用いるか、又は移動距離計測手段として用いるかを選択する。
【００２０】
ＣＰＵ３Ｂは、携帯無線端末３０全体を制御し、特に、この実施形態では、信号変換部用キー入力装置３Ａによる選択に基づき、信号変換部３９，３９Ａと組合わされて情報読取り手段又は移動距離計測手段として用いられる。情報読取り手段としてのＣＰＵ３Ｂは、受光部３９ｂ又は受光部３９ｄから出力された電気信号に基づいて被照射物の表面に存在する情報を読み取り、特に、同被照射物の表面に文字が記載されている場合、同電気信号に基づいて同被照射物の表面に記載された文字を読み取る。移動距離計測手段としてのＣＰＵ３Ｂは、被照射物に対して自端末の位置が移動したとき、受光部３９ｂ又は受光部３９ｄから出力された電気信号に基づいて被照射物に対する自端末の位置の移動距離を計測し、特に、この実施形態では、同受光部３９ｂ又は受光部３９ｄから出力された現時点の電気信号と一周期前の電気信号との差分に基づいて同移動距離を計測する。外部記憶装置４０は、たとえばフレキシブルディスクなどで構成され、記憶装置３２に記憶できない情報を一時的に記憶する。
【００２１】
図２、図３、図４及び図５は、図１の携帯無線端末３０の筐体が折り畳み型の場合の伸展状態を示す図である。
この伸展状態の携帯無線端末３０は、図２に示すように、上側ユニット３０ａと、下側ユニット３０ｂとから構成され、同下側ユニット３０ｂは同上側ユニット３０ａに対して図示しないヒンジを介して結合されている。上側ユニット３０ａの正面にはディスプレイ３８が設けられ、下側ユニット３０ｂの正面には、キー入力装置３３と、信号変換部３９とが設けられている。
【００２２】
また、図３に示すように、下側ユニット３０ｂの左側面には、信号変換部用キー入力装置３Ａを構成するキー１が設けられている。また、図４に示すように、下側ユニット３０ｂの右側面には、信号変換部用キー入力装置３Ａを構成するキー２が設けられている。また、図５に示すように、上側ユニット３０ａの背面には、ディスプレイ３８Ａと、信号変換部用キー入力装置３Ａを構成するキー３、キー４及びキー５とが設けられ、下側ユニット３０ｂの背面には信号変換部３９Ａが設けられている。
【００２３】
図６、図７、図８及び図９は、図２乃至図５に示す携帯無線端末３０の縮退状態を示す図である。
この携帯無線端末３０では、縮退状態であっても、図６に示すように、キー３、キー４及びキー５が使用可能な位置に配置されている。また、図７に示すように、キー１が使用可能な位置に配置され、図８に示すように、キー２が使用可能な位置に配置されている。また、図９に示すように、信号変換部３９Ａが使用可能な位置に配置されている。
【００２４】
図１０は、図１の携帯無線端末３０の動作を説明するためのフローチャート、図１１及び図１２は、移動距離計測手段の原理を説明するための図、図１３、図１４及び図１５は、ネットサーフィンの一例を示す図、図１６及び図１７は、描画の一例を示す図、また、図１８は、バーコードを読み取る際の一例を示す図である。これらの図を参照して、この形態の無線通信方法及び画面制御方法について説明する。
まず、初期設定として、信号変換部用キー入力装置３Ａの各キーに各々の押下時の動作を対応させ、これらの対応関係をＣＰＵ３Ｂが記憶装置３２に記憶させる。これらの対応関係は、たとえば下記のようになっている。
キー１；信号変換部３９，３９Ａを情報読取り手段として使用する
キー２；読取り開始
キー３；読取り終了
キー４；信号変換部３９，３９Ａの電源をオフ状態とする
キー５；信号変換部３９，３９Ａを移動距離計測手段として使用する
キー１＋キー２；選択決定
【００２５】
（１）信号変換部用キー入力装置３Ａによる選択に基づき、ＣＰＵ３Ｂを信号変換部３９，３９Ａと組み合わせて情報読取り手段として用いる無線通信方法
たとえば、ユーザがアクセスを希望するサイトのＵＲＬが記載された書籍がある場合、信号変換部用キー入力装置３Ａのキー１を押下すると、ＣＰＵ３Ｂから記憶装置３２の情報が参照され、同ＣＰＵ３Ｂと信号変換部３９，３９Ａとの組合わせが情報読取り手段として用いられる。信号変換部用キー入力装置３Ａのキー２を押下すると、ＣＰＵ３Ｂから記憶装置３２の情報（キー２；読取り開始）が参照され、書籍に記載されたＵＲＬの読み取りが開始される。
【００２６】
この場合、図１０に示すように、発光部３９ａ又は発光部３９ｃから光波が被照射物の表面に照射され、その反射波が受光部３９ｂ又は受光部３９ｄで電気信号に変換される（ステップＡ１、変換処理）。この処理では、光波が周期的に被照射物に照射され（ステップＡ１ａ、照射処理）、反射波が受光部３９ｂ又は受光部３９ｄで受波されて電気信号に変換される（ステップＡ１ｂ、電気信号変換処理）。信号変換部用キー入力装置３Ａにより、情報読取り処理が選択される（ステップＡ２、選択処理）。受光部３９ｂ又は受光部３９ｄから出力された電気信号に基づいて被照射物の表面に存在する情報（文字）が読み取られる（ステップＡ３、情報読取り処理）。
【００２７】
信号変換部用キー入力装置３Ａのキー３を押下すると、ＣＰＵ３Ｂから記憶装置３２の情報（キー３；読取り終了）が参照され、ＵＲＬの読取りが終了する。ＣＰＵ３Ｂは、読み取った情報（ＵＲＬ）を記憶装置３２に記憶させる。ＣＰＵ３Ｂは、記憶装置３２に記憶されたＵＲＬを用いて無線通信部３４から同ＵＲＬに対応するサイトにアクセスし、無線通信が行われる（ステップＡ４、無線通信処理）。その後、同ＵＲＬに対応するホームページが無線通信部３４で受信され、ＣＰＵ３Ｂ及びドライバ３７を経てディスプレイ３８，３８Ａ上に表示される。
【００２８】
（２）信号変換部用キー入力装置３Ａによる選択に基づき、ＣＰＵ３Ｂを信号変換部３９，３９Ａと組み合わせて移動距離計測手段として用いる画面制御方法
ステップＡ１の後、信号変換部用キー入力装置３Ａのキー５を押下すると、ＣＰＵ３Ｂから記憶装置３２の情報が参照され、同ＣＰＵ３Ｂと信号変換部３９，３９Ａとの組合わせが移動距離計測手段として用いられ、移動距離計測処理が選択される（ステップＡ２、選択処理）。ユーザは、携帯無線端末３０を被照射物（たとえば、マウスパッドなど）上で移動させ、受光部３９ｂ又は受光部３９ｄから出力された電気信号に基づいて被照射物に対する携帯無線端末３０の位置の移動距離がＣＰＵ３Ｂで計測される（ステップＡ５、移動距離計測処理）。この移動距離計測処理では、現時点の電気信号と一周期前の電気信号との差分に基づいて移動距離が計測される。
【００２９】
前記移動距離計測処理（ステップＡ５）では、図１１に示すように、携帯無線端末３０が被照射物上で移動されるが、信号変換部３９，３９Ａの読取り性能が良好であれば、同携帯無線端末３０が被照射物に接触していなくても良く、同信号変換部３９，３９Ａの読取り性能が悪ければ、被照射物の表面にたとえば格子模様を形成（たとえば、印刷など）し、かつ同携帯無線端末３０が同被照射物に接触している必要がある。そして、被照射物の表面に格子模様が形成されている場合、図１２に示すように、受光部３９ｂ又は受光部３９ｄに取り込まれた画像の現在から２０ｍｓ前の画像（同図（ａ））と１０ｍｓ前の画像（同図（ｂ））との差分から画像の動きベクトルｖ１がＣＰＵ３Ｂで検出され、この動きベクトルｖ１の逆の動きベクトルｖ１Ｂが携帯無線端末３０の移動距離に対応する。また、１０ｍｓ前の画像（同図（ｂ））と現在の画像（同図（ｃ））との差分から画像の動きベクトルｖ２がＣＰＵ３Ｂで検出され、この動きベクトルｖ２の逆の動きベクトルｖ２Ｂが携帯無線端末３０の移動距離に対応する。
【００３０】
移動距離計測処理（ステップＡ５）で計測された移動距離の情報は、ドライバ３９に送出される。そして、ドライバ３９の制御により、図１３に示すように、ディスプレイ３８，３８Ａの表示領域内のポインタが移動し、移動距離に応じた表示が行われる（ステップＡ６、表示制御処理）。この場合、たとえば、ホームページの画面が移動距離に対応してスクロールされるので、ユーザは、図１４に示すように、所望のリンクの場所を探してポインタを合わせ、信号変換部用キー入力装置３Ａのキー１及びキー２を押下する。このとき、ＣＰＵ３Ｂから記憶装置３２の情報（キー１＋キー２；選択決定）が参照され、リンクが選択決定される。そして、図１５に示すように、選択決定されたリンクにしたがってネットサーフィン（ｎｅｔ　ｓｕｒｆｉｎｇ　、種々のＷｅｂページを渡り歩くこと）が行われる。
【００３１】
また、上記（１）項において、ＣＰＵ３Ｂを信号変換部３９，３９Ａと組み合わせて情報読取り手段として用いる場合、ＣＰＵ３Ｂは、読み取った情報（ＵＲＬ）を記憶装置３２に記憶させるが、この情報（ＵＲＬ）のデータ量が多く、同ＵＲＬへのアクセスが困難なとき、接続用インタフェース３１を介して有線で情報（ＵＲＬ）をたとえばユーザ宅のパソコンなどへ送信する。ユーザは、帰宅後にパソコンを用いて同ＵＲＬへアクセスする。また、情報（ＵＲＬ）は、そのデータ量によっては、外部記憶装置４０に記憶され、ユーザは、帰宅後にパソコンに同情報（ＵＲＬ）を取り込んで同ＵＲＬへアクセスする。また、情報（ＵＲＬ）は、有線による送信が困難なとき、無線通信部３４を介してメールでたとえばユーザ宅のパソコンなどへ送信する。ユーザは、帰宅後にパソコンに同情報（ＵＲＬ）を取り込んで同ＵＲＬへアクセスする。
【００３２】
信号変換部３９，３９Ａからの発光が不要なとき、信号変換部用キー入力装置３Ａのキー４を押下すると、ＣＰＵ３Ｂから記憶装置３２の情報（キー４；信号変換部３９，３９Ａの電源をオフ状態とする）が参照され、信号変換部３９，３９Ａの電源がオフ状態となる。
【００３３】
記憶装置３２又は外部記憶装置４０に描画用ソフトウェアが記憶されている場合、ディスプレイ３８，３８Ａ上で描画を行うことができる。この場合、まず、初期設定として、信号変換部用キー入力装置３Ａの各キーに、たとえば下記のように各々の押下時の動作を対応させる。
キー１；信号変換部３９，３９Ａを移動距離計測手段として使用する
キー２；描画用ソフトウェアの制御キー
そして、信号変換部用キー入力装置３Ａのキー１を押下すると、ＣＰＵ３Ｂから記憶装置３２の情報が参照され、同ＣＰＵ３Ｂと信号変換部３９，３９Ａとの組合わせが移動距離計測手段として用いられる。そして、例えば線を描画する場合、信号変換部用キー入力装置３Ａのキー２を押下することにより、図１６に示すように、線の始点がポインタで決定されて描画が行われる。また、キー２の押下を停止すると、図１７に示すように、ポインタによる描画が終了する。
【００３４】
また、ＣＰＵ３Ｂを信号変換部３９，３９Ａと組み合わせて情報読取り手段として用いる場合、図１８に示すように、読取り対象の文字列（“○△×＊株式会社”）が同信号変換部３９，３９Ａの認識許容範囲外のとき、同文字列に対応するバーコードを近傍に設けておき、このバーコードを読み取って同文字列に変換することにより、同文字列（“○△×＊株式会社”）が認識される。
【００３５】
以上のように、この実施形態では、ＣＰＵ３Ｂと信号変換部３９，３９Ａとの組合わせが情報読取り手段として用いられるので、インターネットのＵＲＬや書籍のような文字の羅列のような情報を入力する場合、少ない操作で短時間に入力される。また、入力された情報を有線や無線を用いて他の端末へ送信することができる。また、ＣＰＵ３Ｂと信号変換部３９，３９Ａとの組合わせが移動距離計測手段として用い、計測された移動距離に基づいてポインタを移動するようにしたので、ホームページなどのような数枚に渡る画面のスクロールが少ない操作で短時間に行われ、ディスプレイ３８，３８Ａに表示されている選択項目が短時間で選択される。さらに、情報読取り手段及び移動距離計測手段が信号変換部用キー入力装置３Ａにより切り替えられるので、これらの利点が両立する。また、信号変換部３９，３９Ａ及び信号変換部用キー入力装置３Ａは、自端末の筐体が折り畳み型の場合、同筐体の縮退／伸展状態に関わらず、同筐体の外面に配置されているので、同筐体の縮退／伸展状態に関わらず、使用可能になる。
【００３６】
以上、この発明の実施形態を図面により詳述してきたが、具体的な構成はこの実施形態に限られるものではなく、この発明の要旨を逸脱しない範囲の設計の変更などがあってもこの発明に含まれる。
例えば、ＣＰＵ３Ｂと信号変換部３９，３９Ａとの組合わせが移動距離計測手段として用いられる場合、携帯無線端末３０を動かすことなく、同信号変換部３９，３９Ａの前面に指などを通過させても良い。これにより、電車の中のような狭い場所でも操作が可能になる。
【００３７】
また、信号変換部用キー入力装置３Ａの各キーに１つずつ機能が割り当てられているが、ある１つのキーに複数の機能を割り当てても良い。また、発光部３９ａ，３９ｃは、ＬＥＤの他、カメラのフラッシュやレーザのように、特定の波長の光波を発射するものであれば任意のもので良い。受光部３９ｂ，３９ｄは、イメージセンサの他、特定の波長の光波を画像として取り込めるものであれば任意のもので良い。外部記憶装置４０は、フレキシブルディスクの他、デジタルデータのやりとりを行えるものであれば、任意のもので良い。また、携帯無線端末３０の筐体は、折り畳み型に限らず、ストレートタイプでも良い。この場合、ディスプレイ３８及びディスプレイ３８Ａは、いずれか一方のみで良い。同様に、信号変換部３９及び信号変換部３９Ａも、いずれか一方のみで良い。また、携帯無線端末３０の筐体がストレートタイプの場合、信号変換部用キー入力装置３Ａを削除し、キー入力装置３３に信号変換部用キー入力装置３Ａの機能を持たせても良い。
【００３８】
【発明の効果】
以上説明したように、この発明の構成によれば、被照射物の表面に存在する情報を読み取る情報読取り手段が設けられているので、たとえばインターネットのＵＲＬや書籍のような文字の羅列のような情報を入力する場合、少ない操作で短時間に入力できる。また、入力された情報を有線や無線を用いて他の端末へ送信することができる。また、被照射物に対する自端末の位置の移動距離を計測する移動距離計測手段が設けられ、この計測された移動距離に基づいてポインタを移動するようにしたので、ホームページなどのような数枚に渡る画面のスクロールを少ない操作で短時間に行うことができ、表示部に表示されている選択項目を短時間で選択できる。さらに、前記情報読取り手段又は移動距離計測手段のいずれか一方を選択手段で選択できるので、これらの効果を両立できる。また、信号変換部及び選択手段は、自端末の筐体が折り畳み型の場合、同筐体の縮退／伸展状態に関わらず、同筐体の外面に配置されているので、同筐体の縮退／伸展状態に関わらず、使用可能である。この発明により、情報の取込みが非常に速くなり、かつ快適な操作が可能となる。
【図面の簡単な説明】
【図１】この発明の実施形態である携帯無線端末の電気的構成を示すブロック図である。
【図２】図１の携帯無線端末３０の筐体の伸展状態を示す図である。
【図３】図１の携帯無線端末３０の筐体の伸展状態を示す図である。
【図４】図１の携帯無線端末３０の筐体の伸展状態を示す図である。
【図５】図１の携帯無線端末３０の筐体の伸展状態を示す図である。
【図６】図２の携帯無線端末３０の縮退状態を示す図である。
【図７】図３の携帯無線端末３０の縮退状態を示す図である。
【図８】図４の携帯無線端末３０の縮退状態を示す図である。
【図９】図５の携帯無線端末３０の縮退状態を示す図である。
【図１０】図１の携帯無線端末３０の動作を説明するためのフローチャートである。
【図１１】移動距離計測手段の原理を説明する図である。
【図１２】移動距離計測手段の原理を説明する図である。
【図１３】ネットサーフィンの例を示す図である。
【図１４】ネットサーフィンの例を示す図である。
【図１５】ネットサーフィンの例を示す図である。
【図１６】描画の例を示す図である。
【図１７】描画の例を示す図である。
【図１８】バーコードを読み取る場合の例を示す図である。
【図１９】従来の携帯無線端末の電気的構成を示すブロック図である。
【符号の説明】
３０　　　携帯無線端末
３０ａ　　　上側ユニット（筐体）
３０ｂ　　　下側ユニット（筐体）
３１　　　接続用インタフェース
３２　　　記憶装置
３３　　　キー入力装置
３４　　　無線通信部
３５　　　音源
３６　　　スピーカ
３７　　　ドライバ（表示制御部）
３８，３８Ａ　　　ディスプレイ（表示部）
３９，３９Ａ　　　信号変換部
３９ａ，３９ｃ　　　発光部（発射部）
３９ｂ，３９ｄ　　　受光部（受波部）
３Ａ　　　信号変換部用キー入力装置（選択手段）
３Ｂ　　　ＣＰＵ（中央処理装置、情報読取り手段、移動距離計測手段）
【図１】
2004080220.tif 000003
【図２】
2004080220.tif 000004
【図３】
2004080220.tif 000005
【図４】
2004080220.tif 000006
【図５】
2004080220.tif 000007
【図６】
2004080220.tif 000008
【図７】
2004080220.tif 000009
【図８】
2004080220.tif 000010
【図９】
2004080220.tif 000011
【図１０】
2004080220.tif 000012
【図１１】
2004080220.tif 000013
【図１２】
2004080220.tif 000014
【図１３】
2004080220.tif 000015
【図１４】
2004080220.tif 000016
【図１５】
2004080220.tif 000017
【図１６】
2004080220.tif 000018
【図１７】
2004080220.tif 000019
【図１８】
2004080220.tif 000020
【図１９】
2004080220.tif 000021